(57)【要約】【目的】蓋による密閉性が高く、しかも蓋の開閉・着脱が容易なガラス・陶磁器製等の容器の蓋を提供する。【構成】ガラス・陶磁器製等の容器の蓋において、円筒状の蓋本体が合成樹脂製であり、該蓋本体の外周に設けられたパッキンがエラストマー製であり、前記蓋本体の開放端側の外周には突出部が設けられており、該突出部の後方端縁から、前記蓋本体の閉塞端側に設けられた鍔部に亘って前記パッキンが配置されていることを特徴とするガラス・陶磁器製等の容器の蓋である。【選択図】        図１
0003121472.tif 000002
【実用新案登録請求の範囲】
【請求項１】
ガラス・陶磁器製等の容器の蓋において、円筒状の蓋本体が合成樹脂製であり、該蓋本体の外周に設けられたパッキンがエラストマー製であり、前記蓋本体の開放端側の外周には突出部が設けられており、該突出部の後方端縁から、前記蓋本体の閉塞端側に設けられた鍔部に亘って前記パッキンが配置されていることを特徴とするガラス・陶磁器製等の容器の蓋。
【請求項２】
前記蓋本体とパッキンとが一体成形されていることを特徴とする請求項１に記載のガラス・陶磁器製等の容器の蓋。
【請求項３】
前記蓋本体の上半部には、前記パッキンとの間に空隙部が設けられていることを特徴とする請求項１又は２に記載のガラス・陶磁器製等の容器の蓋。
【請求項４】
前記蓋本体が通路を有し、回動することによってガラス・当磁器製容器内の飲食品の抽出が可能となる構成であることを特徴とする請求項１〜３のいずれかに記載のガラス・陶磁器製等の容器の蓋。
【請求項５】
前記パッキンが舌状片を有することを特徴とする請求項１〜４のいずれかに記載のガラス・陶磁器製等の容器の蓋。
【請求項６】
前記舌状片の外周径がパッキンの最大径部よりも小であることを特徴とする請求項５に記載のガラス・陶磁器製等の容器の蓋。
【請求項７】
前記舌状片が２以上設けられていることを特徴とする請求項５又は６に記載のガラス・陶磁器製等の容器の蓋。
【請求項８】
前記ガラス・陶磁器製等の容器がピッチャーであることを特徴とする請求項１〜７のいずれかに記載のガラス・陶磁器製等の容器の蓋。
【考案の詳細な説明】
【技術分野】
【０００１】
本考案はガラス・陶磁器製等の容器の蓋に関し、詳しくは各種容器、特にガラス製や陶磁器製の飲食品用等の容器の蓋に関する。
【背景技術】
【０００２】
ガラス製や陶磁器製の容器は、成形焼成時等の歪みが生じ易く精密成形が困難であるため、密閉性が要求される容器の場合はパッキンを設けた蓋を用いることで、内容物の漏れや臭気移りを防止するように工夫されている。
【０００３】
蓋に設けられるパッキンは、蓋の内周に設けられる場合（例えば、特許文献１及び２等参照）と、蓋の外周に設けられる場合（例えば、特許文献３及び４等参照）とがある。前者は蓋を閉めることでパッキンが押し潰される方向に力が加わるため、密閉性を達成できるが、後者は蓋を閉めてもパッキンに対する力は加わらないため、密閉性の達成は困難である。
【０００４】
そこで、蓋の外周にパッキンが設けられる構成の場合、蓋による密閉性を達成するために特許文献３又は４に示すような技術が提案されている。
【特許文献１】実用新案登録第２５８９８８５号公報
【特許文献２】特開平０８−０２００８２号公報
【特許文献３】特開２００５−００６８６５号公報
【特許文献４】登録実用新案第３１０２４３６号公報
【考案の開示】
【考案が解決しようとする課題】
【０００５】
特許文献３に記載の技術は、蓋本体の外周に突設させた鍔状のパッキンを容器内壁に当接させて変形させることで密閉させる構成のものである。
【０００６】
特許文献４に記載の技術は、蓋本体の外周に形成された溝状部に該溝状部から突出するように嵌入したリング状のパッキンを容器内壁に当接させることで密閉させる構成のものである。
【０００７】
しかし特許文献３及び４の技術では、密閉性をある程度は維持できるが、蓋の開閉・着脱が困難である。特に容器がピッチャーの場合には、飲食水を抽出する際に蓋を回動させる必要があるが、密閉性が良好であればある程、蓋の回動が困難となってしまうという課題を有している。
【０００８】
そこで本考案の課題は、蓋による密閉性が高く、しかも蓋の開閉・着脱が容易なガラス・陶磁器製等の容器の蓋を提供することにある。
【課題を解決するための手段】
【０００９】
上記課題を解決する本考案は下記構成を有する。
１．ガラス・陶磁器製等の容器の蓋において、円筒状蓋の本体が合成樹脂製であり、該蓋本体の外周に設けられたパッキンがエラストマー製であり、前記蓋本体の開放端側の外周には突出部が設けられており、該突出部の後方端縁から、前記蓋本体の閉塞端側に設けられた鍔部に亘って前記パッキンが配置されていることを特徴とするガラス・陶磁器製等の容器の蓋。
【００１０】
２．前記蓋本体とパッキンとが一体成形されていることを特徴とする上記１に記載のガラス・陶磁器製等の容器の蓋。
【００１１】
３．前記蓋本体の上半部には、前記パッキンとの間に空隙部が設けられていることを特徴とする上記１又は２に記載のガラス・陶磁器製等の容器の蓋。
【００１２】
４．前記蓋本体が通路を有し、回動することによってガラス・当磁器製容器内の飲食品の抽出が可能となる構成であることを特徴とする上記１〜３のいずれかに記載のガラス・陶磁器製等の容器の蓋。
【００１３】
５．前記パッキンが舌状片を有することを特徴とする上記１〜４のいずれかに記載のガラス・陶磁器製等の容器の蓋。
【００１４】
６．前記舌状片の外周径がパッキンの最大径部よりも小であることを特徴とする上記５に記載のガラス・陶磁器製等の容器の蓋。
【００１５】
７．前記舌状片が２以上設けられていることを特徴とする上記５又は６に記載のガラス・陶磁器製等の容器の蓋。
【００１６】
８．前記ガラス・陶磁器製等の容器がピッチャーであることを特徴とする上記１〜７のいずれかに記載のガラス・陶磁器製等の容器の蓋。
【考案の効果】
【００１７】
請求項１に示す考案によれば、円筒状の蓋本体が合成樹脂製であり、該蓋本体の外周に設けられたパッキンがエラストマー製であり、前記蓋本体の開放端側の外周には突出部が設けられており、該突出部の後方端縁から、前記蓋本体の閉塞端側に設けられた鍔部に亘って前記パッキンが配置されている構成により、蓋による密閉性が高く、しかも蓋の開閉・着脱が容易である。
【００１８】
請求項２に示す考案によれば、蓋本体とパッキンとが一体成形されていることにより、密閉性をより高めることができる。
【００１９】
請求項３に示す考案によれば、蓋本体の上半部には、前記パッキンとの間に空隙部が設けられていることにより、パッキンのクッション性がより向上するので、密閉性がより高まると共に蓋の開閉・着脱がより容易となる。
【００２０】
請求項４に示す考案によれば、前記蓋本体が通路を有し、回動することによってガラス・当磁器製容器内の飲食品の抽出が可能となる構成により、密閉性を維持した上で、この密閉状態から単に回動するだけで内容物である飲食品を容易に抽出することが可能となる。
【００２１】
請求項５に示す考案によれば、パッキンが舌状片を有することにより容器との密着性が高まり密閉性を更に高めることができる。
【００２２】
請求項６に示す考案によれば、舌状片の外周径がパッキンの最大径部よりも小であることにより、容器への蓋の装着と脱着が共に容易となるという使い勝手が格別に良好となる作用効果が発揮される。
【００２３】
請求項７に示す考案によれば、舌状片が２以上設けられていることにより、容器との密着性をより高めることができる。
【００２４】
請求項８に示す考案によれば、ガラス・陶磁器製等の容器がピッチャーであることにより、密閉性が高く、蓋の開閉・着脱が容易であり、しかも注出の容易なピッチャーを得ることができる。
【考案を実施するための最良の形態】
【００２５】
次に、添付の図面に従って本考案を更に詳細に説明する。
図１は本考案に係るガラス・陶磁器製等の容器の蓋の一実施例を示す断面図、図２は本考案に係るガラス・陶磁器製等の容器の蓋の他の実施例を示す断面図である。
【００２６】
図１において、１は本考案に係るガラス・陶磁器製等の容器の蓋（以下、単に蓋ということもある。）であり、ガラス製や陶磁器製のピッチャーや保存瓶等の容器２の口部２０に取り付けられて使用するものである。
【００２７】
蓋１は、円筒状の蓋本体１０の外周にパッキン１１が設けられ、前記蓋本体１０の開放端Ａ側の外周には突出部１２が設けられており、該突出部１２の後方端縁から、前記蓋本体１０の閉塞端Ｂ側に設けられた鍔部１３に亘って前記パッキン１１が配置された構成を有するものである。
【００２８】
蓋本体１０は合成樹脂製であり、用いられる合成樹脂としては、この種の蓋本体１０の材質として公知公用の合成樹脂を特別の制限なく挙げることができ、例えば、ＡＢＳ樹脂、塩化ビニル樹脂、ポリエチレン等が挙げられ、中でも、ＡＢＳ樹脂であることが好ましい。
【００２９】
パッキン１１は、蓋本体１０の外周であって且つ鍔部１３と突出部１２との間に嵌合された状態で形成されている。
【００３０】
該パッキン１１はエラストマー製であり、エラストマーの弾力性・柔軟性により、ガラス製や陶磁器製の容器に付き物の成形焼成時等の歪みに対しても適応できるので密閉性を確保することができると共に、容器２に対する着脱・開閉時も引っ掛かり等の抵抗が極めて少なくスムースな着脱・開閉が可能である。エラストマーとしては、この種の容器２用のパッキンとして公知公用のエラストマーが挙げられ、例えば、ポリオレフィン系エラストマー、ポリスチレン系エラストマー等が挙げられる。
【００３１】
またパッキン１１は、密閉性をより高める液漏れを防ぐために前記蓋本体１０と一体成形されていることが好ましい。
【００３２】
更に、パッキン１１には、容器２との密着性をより高めることで密閉性を更に向上させるために舌状片１４を有することが好ましく、該舌状片１４は２以上（本実施例では２つ）設けられていることが好ましい。舌状片１４はその形状及び材質故に柔軟性及び形状追従性を有しているので、容器２が個々に有している様々な歪み等にも対応することができる。
【００３３】
該舌状片１４は、その外周径がパッキン１１の最大径部よりも小とすることにより、密閉性を向上させたまま、容器２への蓋１の装着性と脱着性を共に容易とすることができる。
【００３４】
容器２としてピッチャー等の注瓶型の容器に取り付けられる場合、蓋本体１０に通路１５が形成された構成とすることにより、蓋１を回動して容器２の注ぎ口２１に該通路１５の位置を一致させることで容器２内の飲食品を注出することができる。容器２が注瓶型ではなく単なる保存用の容器に用いられる場合は通路１５は形成されていなくてもよい。
【００３５】
以上、本考案に係るガラス・陶磁器製等の容器の蓋１の一実施例について説明したが、本考案は上記に限定されず本考案の範囲内において種々の態様を採ることができる。
【００３６】
例えば、図２に示すように蓋本体１０の上半部に、該蓋本体１１とパッキン１１との間に空隙部１６を設けた構成とすることもできる。この空隙部１６により、パッキン１１のクッション性がより向上するので、密閉性がより高まると共に蓋の開閉・着脱がより容易となる。
【図面の簡単な説明】
【００３７】
【図１】本考案に係るガラス・陶磁器製等の容器の蓋の一実施例を示す断面図
【図２】本考案に係るガラス・陶磁器製等の容器の蓋の他の実施例を示す断面図
【符号の説明】
【００３８】
１    蓋
１０  蓋本体
１１  パッキン
１２  突出部
１３  鍔部
１４  舌状片
１５  通路
１６  空隙部
２    容器
２０  口部
２１  注ぎ口
Ａ    開放端
Ｂ    閉塞端
【図１】
0003121472.tif 000003
【図２】
0003121472.tif 000004